(57)【要約】【課題】飲料や埃の固着に伴うロック装置の操作性の低下が生じることがないロック装置を提供する。【解決手段】ケース２の上壁２ｂの下面と対向するロック爪４の基端部４ａ及び先端部４ｂの上面に複数本の溝部４ｅが凹設されている。ケース２内へ侵入した飲料や埃が、ロック爪４の基端部４ａの上面とケース２の上壁２ｂの下面との間の隙間ｓ３まで侵入した場合であっても、飲料や埃は基端部４ａの最上面よりも低い位置にある溝部４ｅへ掻き落とされる。これにより、この隙間ｓ３に飲料や埃が固着することを防止できるため、ロック爪４のスムーズな進退動を損なうことがない。【選択図】図２
2011020605.tif 000002
【特許請求の範囲】
【請求項１】
左右一対の側壁、上壁及び下壁よりなる板状枠を有するケースと、
前記ケースに対して前後方向に進退可能で、前進した前進基準位置で相手材と係止するロック爪と、
前記ケースに対して上下方向に昇降可能で、上昇した上昇基準位置から下降することで前記ロック爪を前記前進基準位置から後退させることにより該ロック爪の係止を解除する解除ボタンと、
前記解除ボタンの下降又は上昇に伴って前記ロック爪が後退又は前進するように該解除ボタンと該ロック爪と前記ケースとを貫通して連結する連結ピンと、
下降した前記解除ボタンを上方に付勢して前記上昇基準位置に復帰させる付勢部材と、を備えるロック装置であって、
前記解除ボタンは、前記ケースの前記上壁よりも上方に配設された操作部と、該操作部から下方に突設されて該ケース内まで延在した左右一対の脚部とからなり、各該脚部が、該ケースの該上壁に貫設された左右一対の貫通孔に挿通されることにより該解除ボタンの昇降が案内され、
前記ロック爪は、前記ケース内に収納されるとともに両前記脚部の間に配設された基端部と、該基端部から前方に突設されて該ケース外まで延在した先端部とからなり、該ケースの上壁の下面と対向する少なくとも該基端部の上面に凹部を備えていることを特徴とするロック装置。
【請求項２】
前記凹部は、前記ロック爪の前記基端部の左右の側面から該基端部の左右の中心に向かって形成された溝部であることを特徴とする請求項１に記載のロック装置。
【請求項３】
前記ロック爪の前記基端部には鉤状被ガイド部が設けられるとともに、前記ケースの前記下壁には該鉤状被ガイド部と噛み合う鉤状ガイド部が設けられ、
前記鉤状被ガイド部と、前記鉤状ガイド部とを係合させることによって、前記ロック爪の上下左右方向の揺動を規制しつつ該ロック爪の進退を案内することを特徴とする請求項１又は２に記載のロック装置。
【請求項４】
前記鉤状ガイド部は、前記ケースの前記下壁から上方に向かって突設するとともに、上方にフランジを有し、かつ該フランジの突設方向が該ケースの左右方向の内側に向くように配置された左右一対の断面Ｌ形ガイドレールよりなり、
前記鉤状被ガイド部は、前記ロック爪の前記基端部から下方に向かって突設するとともに、下方にフランジを有する断面Ｔ形被ガイドレールよりなり、
両前記断面Ｌ形ガイドレールの間に、かつ各該断面Ｌ形ガイドレールのフランジの下方に、前記断面Ｔ形被ガイドレールのフランジを配置することによって、該断面Ｔ形被ガイドレールの上下左右方向の揺動を規制しつつ前記ロック爪の進退を案内することを特徴とする請求項３に記載のロック装置。
【請求項５】
前記解除ボタンの前記操作部は、開口部を有するカバー部材の該開口部に緩挿される部位であり、
前記操作部は、前記開口部の開口形状と相似又は略相似の平面形状を呈するとともに、該操作部の外周面から突設した鍔部を備え、
前記鍔部は、前記解除ボタンの前記上昇基準位置において、前記開口部と前記外周面との間に形成される隙間を該開口部の下方から塞ぐことを特徴とする請求項１〜４のうちのいずれか一つに記載のロック装置。
【発明の詳細な説明】
【技術分野】
【０００１】
本発明は、固定部材に対して可動部材を係止するロック装置に関するものである。
【背景技術】
【０００２】
固定部材に対して開位置と閉位置に可動な可動部材を閉位置に係止するロック装置として、例えば、図１に示すとおり、自動車の車室内のセンターコンソールに装備されるカップホルダのロック装置がある。
【０００３】
このカップホルダ９０は、飲料容器（図示せず）を収容する収容部９１を固定部材として、収容部９１の上部の開口を可動部材である蓋９２で開閉することが可能な構造となっている。ロック装置１は収容部９１の上方に配置されており、ロック装置１には蓋９２の被係止部９２ａに嵌挿することによって、蓋９２を閉位置に係止するロック爪４と、操作部３ａを押し操作することによってロック爪４の係止を解除する解除ボタン３とが備わっている。
【０００４】
ロック装置としては、特開２００６−０１５８８１号公報（特許文献１）及び特開２００４−３２４０７５号公報（特許文献２）に記載されているように様々な構造のロック装置がある。これらのロック装置はいずれも、ロック爪の進退方向と解除ボタンの昇降方向とが直交し、解除ボタンの操作部を押し操作することによって、ロック爪が後退して、ロック爪と被係止部との係止が解除される構成となっている。このような構成からなるロック装置を図６に示す。
【０００５】
このロック装置１００は、ケース２００と、解除ボタン３００と、ロック爪４００と、これらを連結する連結ピン５００と、解除ボタン３００を上方に付勢するスプリング６００と、により構成されている。
【０００６】
解除ボタン３００は、ケース２００の上壁よりも上方に配設された操作部３００ａと、操作部３００ａから下方に突設されてケース２００内まで延在した左右一対の脚部３００ｃとからなる。
【０００７】
また、ケース２００の上壁に貫設された左右一対の貫通孔２００ｆに、脚部３００ｃを挿通することにより、解除ボタン３００の昇降が案内されている。各脚部３００ｃと各貫通孔２００ｆとの間には隙間ｓ２が形成されている。
【０００８】
ロック爪４００は、ケース２００内に収納されるとともに両脚部３００ｃの間に配設された基端部４００ａと、基端部４００ａから前方に突設されてケース２００外まで延在した先端部４００ｂとからなる。
【０００９】
また、ケース２００の下壁から上方に向かって突設したガイド板２００ｅにより基端部４００ａから下方に向かって突設した被ガイド板４００ｄの左右方向の揺動が規制されるとともに、ケース２００の上壁とガイド板２００ｅの上端部とにより基端部４００ａの上下方向の揺動が規制されている。これにより、ロック爪４００の進退が案内されている。基端部４００ａの上面とケース２００の上壁の下面との間には隙間ｓ３が形成されている。
【００１０】
スプリング６００は、ケース２００の上壁と解除ボタン３００の操作部３００ａとの間に圧縮状態で配設され、この付勢力によって解除ボタン３００を上昇基準位置に付勢している。解除ボタン３００が上昇基準位置に付勢されている状態において、操作部３００ａは、収容部９１のカバー部材９１ａに形成された開口部９１ｂに緩挿されており、開口部９１ｂと操作部３００ａの水平方向の外周面３００ｂとの間には隙間ｓ１が形成されている。
【先行技術文献】
【特許文献】
【００１１】
【特許文献１】特開２００６−０１５８８１号公報
【特許文献２】特開２００４−３２４０７５号公報
【発明の概要】
【発明が解決しようとする課題】
【００１２】
しかしながら、前述の図６に示す従来のロック装置１００では、カバー部材９１ａの開口部９１ｂと操作部３００ａの外周面３００ｂとの間に形成された隙間ｓ１からジュース等の飲料や埃が侵入すると、この飲料や埃が、各脚部３００ｃと各貫通孔２００ｆとの間に形成された隙間ｓ２を通過してケース２００内まで侵入する。
【００１３】
そして、ケース２００内に侵入した飲料や埃が、ロック爪４００の基端部４００ａの上面とケース２００の上壁の下面との間に形成された隙間ｓ３まで侵入して、ここで固着すると、ロック爪４００のスムーズな進退動が損なわれて、操作部３００ａの押し操作が困難となるという問題があった。
【００１４】
本発明は上記課題に鑑みてなされたものであり、飲料や埃の固着に伴うロック装置の操作性の低下が生じることがないロック装置を提供することを目的とする。
【課題を解決するための手段】
【００１５】
以下、上記課題を解決するのに適した各手段につき、必要に応じて作用効果等を付記しつつ説明する。
【００１６】
（１）本発明のロック装置は、左右一対の側壁、上壁及び下壁よりなる板状枠を有するケースと、前記ケースに対して前後方向に進退可能で、前進した前進基準位置で相手材と係止するロック爪と、前記ケースに対して上下方向に昇降可能で、上昇した上昇基準位置から下降することで前記ロック爪を前記前進基準位置から後退させることにより該ロック爪の係止を解除する解除ボタンと、前記解除ボタンの下降又は上昇に伴って前記ロック爪が後退又は前進するように該解除ボタンと該ロック爪と前記ケースとを貫通して連結する連結ピンと、下降した前記解除ボタンを上方に付勢して前記上昇基準位置に復帰させる付勢部材と、を備えるロック装置であって、
前記解除ボタンは、前記ケースの前記上壁よりも上方に配設された操作部と、該操作部から下方に突設されて該ケース内まで延在した左右一対の脚部とからなり、各該脚部が、該ケースの該上壁に貫設された左右一対の貫通孔に挿通されることにより該解除ボタンの昇降が案内され、前記ロック爪は、前記ケース内に収納されるとともに両前記脚部の間に配設された基端部と、該基端部から前方に突設されて該ケース外まで延在した先端部とからなり、該ケースの上壁の下面と対向する少なくとも該基端部の上面に凹部を備えていることを特徴とする。
【００１７】
このような構成によれば、ケースの上壁の下面と対向するロック爪の基端部の上面に凹部が形成されている。したがって、ケース内へ侵入した飲料や埃が、ロック爪の基端部の上面とケースの上壁の下面との間の隙間まで侵入した場合であっても、飲料や埃は基端部の最上面よりも低い位置にある凹部へ掻き落とされる。これにより、この隙間に飲料や埃が固着することを防止できるため、ロック爪のスムーズな進退動を損なうことがない。
【００１８】
また、基端部の上面における凹部の形成面積を大きくするほど、凹部の形成面積を除いた基端部の上面の面積は小さくなり、上述の隙間の形成面積を小さくすることができる。したがって、仮に、上述の隙間に飲料や埃が固着した場合であっても、この隙間の形成面積が小さければ、ケースの上壁と基端部との固着が剥がれやすく、ケースの上壁に固着したロック爪を再びスムーズに進退動させやすくなる。
【００１９】
なお、凹部の形状は、基端部の最上面から下方に向かって凹設された形状であれば特に限定されない。また、凹部の形成個数も限定されない。例えば、凹部を、複数本の溝部として形成しても良いし、複数個の止まり穴として形成しても良い。
【００２０】
（２）本発明のロック装置において、好ましくは、前記凹部は、前記ロック爪の前記基端部の左右の側面から該基端部の左右の中心に向かって形成された溝部であることを特徴とする。
【００２１】
このような構成によれば、ロック爪の基端部の上面とケースの上壁の下面との間の隙間へ侵入した飲料や埃が、溝部へ掻き落とされた後、溝部を伝ってロック爪の基端部の左右の側面へ流出し、ロック爪の下方へ排出される。したがって、飲料や埃が溝部に蓄積しにくい。これにより、凹部を独立した凹部として形成する場合と比べて、上述の隙間に飲料や埃がより固着しにくく、また、固着を防止する効果を長く持続することができる。
【００２２】
（３）本発明のロック装置において、好ましくは、前記ロック爪の前記基端部には鉤状被ガイド部が設けられるとともに、前記ケースの前記下壁には該鉤状被ガイド部と噛み合う鉤状ガイド部が設けられ、前記鉤状被ガイド部と、前記鉤状ガイド部とを係合させることによって、前記ロック爪の上下左右方向の揺動を規制しつつ該ロック爪の進退を案内することを特徴とする。
【００２３】
このような構成によれば、ロック爪の基端部に設けられた鉤状被ガイド部と、ケースの下壁に設けられた鉤状ガイド部とが係合することによりロック爪の上下左右方向の揺動を規制しつつロック爪の進退が案内されている。すなわち、ロック爪は基端部の下部のみで上下左右方向の揺動が規制されている。
【００２４】
これにより、従来のロック装置で必要となっていた、ロック爪の基端部の上面とケースの上壁の下面との間の隙間を極力小さくすることによりロック爪の上下方向の揺動を規制するという隙間の管理が不要となる。したがって、この隙間を過剰に小さくする必要がなくなる。
【００２５】
この隙間を従来のロック装置の隙間よりも大きくすることによって、ケース内へ侵入した飲料や埃が、この隙間まで侵入した場合であっても、ロック爪の基端部の上面とケースの上壁の下面とが飲料や埃で固着する虞が小さくなる。すなわち、ロック爪のスムーズな進退動が損なわれる虞を小さくすることができる。
【００２６】
また、ロック爪は基端部の下部のみで上下左右方向の揺動が規制されていることから、ケース内へ飲料や埃が侵入した場合であっても、ロック爪の基端部が傘として機能することにより、基端部の下方への飲料や埃の侵入を防止することができる。これにより、鉤状被ガイド部と鉤状ガイド部とが係合する係合部分（摺動部）に、飲料や埃が侵入することを防止できるため、ロック爪のスムーズな進退動を損なうことがない。
【００２７】
（４）本発明のロック装置において、好ましくは、前記鉤状ガイド部は、前記ケースの前記下壁から上方に向かって突設するとともに、上方にフランジを有し、かつ該フランジの突設方向が該ケースの左右方向の内側に向くように配置された左右一対の断面Ｌ形ガイドレールよりなり、前記鉤状被ガイド部は、前記ロック爪の前記基端部から下方に向かって突設するとともに、下方にフランジを有する断面Ｔ形被ガイドレールよりなり、両前記断面Ｌ形ガイドレールの間に、かつ各該断面Ｌ形ガイドレールのフランジの下方に、前記断面Ｔ形被ガイドレールのフランジを配置することによって、該断面Ｔ形被ガイドレールの上下左右方向の揺動を規制しつつ前記ロック爪の進退を案内することを特徴とする。
【００２８】
このような構成によれば、断面Ｔ形被ガイドレールは左右一対の断面Ｌ形ガイドレールの間に配置されている。したがって、ケース内へ侵入した飲料や埃が、ロック爪の基端部の左右の側面を伝って基端部の下方に侵入しようとしても、その侵入が左右一対の断面Ｌ形ガイドレールに遮られる。これにより、断面Ｔ形被ガイドレールと断面Ｌ形ガイドレールとが係合する係合部分（摺動部）に、飲料や埃が侵入することを防止できるため、ロック爪のスムーズな進退動を損なうことがない。
【００２９】
このように、ロック爪の上下左右方向の揺動を規制しつつロック爪の進退を案内する摺動部を、ロック装置のより内部かつ下方に配置するほど、すなわち、上方及び左右方向からより隠蔽された位置に配置するほど、飲料や埃が摺動部に侵入することを防止する効果が高くなる。
【００３０】
（５）本発明のロック装置において、好ましくは、前記解除ボタンの前記操作部は、開口部を有するカバー部材の該開口部に緩挿される部位であり、前記操作部は、前記開口部の開口形状と相似又は略相似の平面形状を呈するとともに、該操作部の外周面から突設した鍔部を備え、前記鍔部は、前記解除ボタンの前記上昇基準位置において、前記開口部と前記外周面との間に形成される隙間を該開口部の下方から塞ぐことを特徴とする。
【００３１】
このような構成によれば、解除ボタンの操作部に形成された鍔部が、カバー部材の開口部と操作部の外周面との間に形成される隙間を下方から塞ぐことによって、この隙間から下方への飲料や埃の侵入が防止される。これにより、飲料や埃の固着に伴うロック装置の操作性の低下を防止することが可能となる。また、操作部の上方からこの隙間を通してカバー部材に覆われた内部が視認されることがないため、鍔部を設けることは意匠性の向上にも寄与する。
【発明の効果】
【００３２】
本発明によれば、飲料や埃の固着に伴うロック装置の操作性の低下が生じることがないロック装置を提供することができる。
【図面の簡単な説明】
【００３３】
【図１】第１実施形態のロック装置が使用されているカップホルダの構造を説明する斜視図を示している。
【図２】第１実施形態のロック装置の構造を説明する説明図であって、（ａ）はロック装置の斜視図、（ｂ）はロック装置の分解斜視図、（ｃ）はロック装置を正面から見た断面図を示している。
【図３】第２実施形態のロック装置の構造を説明する説明図であって、（ａ）はロック装置の斜視図、（ｂ）はロック装置の分解斜視図、（ｃ）はロック装置を正面から見た断面図を示している。
【図４】第３実施形態のロック装置に備わるロック爪の構造を説明する斜視図を示している。
【図５】第４実施形態のロック装置に備わるロック爪の構造を説明する斜視図を示している。
【図６】従来のロック装置の構造を説明する説明図であって、（ａ）はロック装置の斜視図、（ｂ）はロック装置の分解斜視図、（ｃ）はロック装置を正面から見た断面図を示している。
【発明を実施するための形態】
【００３４】
以下、本発明のロック装置の実施形態について図面を参照しつつ詳しく説明する。
＜第１実施形態＞
本実施形態のロック装置が使用されているカップホルダを説明する斜視図を図１に示す。このカップホルダ９０は、自動車の車室内のセンターコンソールに装備されるものであり、飲料容器（図示せず）を収容する収容部９１を固定部材として、収容部９１の上部の開口を可動部材である蓋９２で開閉することが可能な構造となっている。なお、図１では、カップホルダ９０の蓋９２が開いた開位置における状況を示している。
【００３５】
ロック装置１は収容部９１の上方に配置されており、解除ボタン３の操作部３ａが上方に露出している。操作部３ａは、収容部９１のカバー部材９１ａに形成された開口部９１ｂに緩挿されている。ロック装置１のロック爪４を蓋９２の被係止部９２ａに嵌挿することによって、蓋９２を閉位置に係止する。また、解除ボタン３の操作部３ａを押し操作することによってロック爪４が後退し、蓋９２の係止が解除される。
【００３６】
本実施形態のロック装置を図２に示す。図２（ａ）はロック装置の斜視図、図２（ｂ）はロック装置の分解斜視図、図２（ｃ）はロック装置を正面から見た断面図を示している。
【００３７】
このロック装置１は、ケース２と、解除ボタン３と、ロック爪４と、これらを連結する連結ピン５と、解除ボタン３を上方に付勢するスプリング６と、により構成されている。
【００３８】
ロック爪４は、ケース２に対して前後方向に進退可能で、前進した前進基準位置で相手材と係止し、解除ボタン３は、ケース２に対して上下方向に昇降可能で、上昇した上昇基準位置から下降することでロック爪４を前進基準位置から後退させることによりロック爪４の係止を解除するように構成されている。
【００３９】
ケース２は、左右一対の側壁２ａ、上壁２ｂ及び下壁２ｃよりなる板状枠を有し、ケース２の各側壁２ａの上方には、左右方向に貫設するとともに、穴の内寸が前後方向に水平に長い長穴状の水平スライド孔２ｄが形成されている。そして、この水平スライド孔２ｄによって連結ピン５が前後方向に摺動可能に保持されている。
【００４０】
ケース２の上壁２ｂには、後述する解除ボタン３の左右一対の脚部３ｃを挿通することが可能な左右一対の貫通孔２ｆが上下方向に貫設されている。また、下壁２ｃには、後述するロック爪４の左右一対の被ガイド板４ｄの間に配置される左右一対のガイド板２ｅが上方に向かって突設されている。
【００４１】
解除ボタン３は、ケース２の上壁２ｂよりも上方に配設された操作部３ａと、操作部３ａから下方に向かって直角に突設されてケース内まで延在した左右一対の板状の脚部３ｃとからなる。また、各脚部３ｃの上方には、左右方向に貫設するとともに、穴の内寸が前方かつ下方から後方かつ上方に向かって斜め方向に長い長穴状の斜めスライド孔３ｄが形成されている。そして、この斜めスライド孔３ｄによって連結ピン５が前方から後方に向かって上り勾配で摺動可能に保持されている。
【００４２】
さらに、本実施形態のロック装置１の特徴的な構造として、解除ボタン３の操作部３ａの水平方向の外周面３ｂの最下部には、外周面３ｂを取り囲むとともに外周面３ｂから水平方向に突設する板状の鍔部３ｅが形成されている。
【００４３】
ロック爪４は、ケース２内に収納されるとともに両脚部３ｃの間に配設された基端部４ａと、基端部４ａから前方に突設されてケース２外まで延在した先端部４ｂとからなる。なお、先端部４ｂの上面は、常にケース２内に収納されている（ケース２の上壁２ｂの下面と対向している）部位と、ロック爪４が前進基準位置から後退した時のみケース２内に収納される部位と、常にケース２外に露出している部位とに分かれている。
【００４４】
また、基端部４ａには、左右方向に貫設するとともに、連結ピン５を圧入可能な、連結ピン５の外径よりも若干小さな内径のピン挿入孔４ｃが形成されている。また、基端部４ａから下方に向かって突設した左右一対の被ガイド板４ｄが形成されている。
【００４５】
さらに、本実施形態のロック装置１の特徴的な構造として、ケース２の上壁２ｂの下面と対向するロック爪４の基端部４ａ及び先端部４ｂの上面に断面コ字状の溝部４ｅが６本凹設されている。６本の溝部４ｅは、基端部４ａ及び先端部４ｂに左右対称に３本ずつ形成されており、基端部４ａ及び先端部４ｂの左右の側面から基端部４ａ及び先端部４ｂの左右の中心に向かって形成されている。
【００４６】
連結ピン５は、金属製の薄板を断面円形に曲げ加工した断面Ｃ状（図示せず）を呈する。連結ピン５の周が長手方向に閉じていないため、連結ピン５の外径を弾性的に絞ることが可能であり、これにより、連結ピン５を、連結ピン５の外径よりも若干小さな内径のロック爪４のピン挿入孔４ｃに圧入することが可能となっている。
【００４７】
連結ピン５は、解除ボタン３の下降又は上昇に伴ってロック爪４が後退又は前進するように、ケース２の水平スライド孔２ｄと、解除ボタン３の斜めスライド孔３ｄと、ロック爪４のピン挿入孔４ｃと、を貫通して連結している。
【００４８】
付勢部材であるスプリング６は、ケース２の上壁２ｂから上方に向かって突設した突起部に外嵌されるとともに、ケース２の上壁２ｂと解除ボタン３の操作部３ａとの間に圧縮状態で配設され、この付勢力によって解除ボタン３を上昇基準位置に付勢している。なお、解除ボタン３が上昇基準位置に付勢されている状態において、ロック爪４は前進基準位置に配置されている。
【００４９】
ケース２の側壁２ａから内側に向かって、各水平スライド孔２ｄ、各斜めスライド孔３ｄ、ピン挿入孔４ｃの順に配置するとともに、各水平スライド孔２ｄと各斜めスライド孔３ｄとピン挿入孔４ｃとを連結ピン５によって貫通することにより、ケース２と解除ボタン３とロック爪４とが一体化され、ロック装置１として組み立てられている。
【００５０】
図２（ｃ）に示すとおり、解除ボタン３が上昇基準位置に付勢されている状態において、カバー部材９１ａの開口部９１ｂと操作部３ａの外周面３ｂとの間には隙間ｓ１が形成されている。また、解除ボタン３が上昇基準位置に付勢されている状態において、操作部３ａに形成された鍔部３ｅが、隙間ｓ１を下方から塞いでいる。解除ボタン３が上昇基準位置から下降すれば、鍔部３ｅも下降するため、隙間ｓ１の下方が開放する。
【００５１】
解除ボタン３の上下方向の昇降、及びロック爪４の前後方向の進退は、以下のとおりに案内されている。
【００５２】
解除ボタン３の左右一対の脚部３ｃが、ケース２の上壁２ｂに貫設された左右一対の貫通孔２ｆに挿通されることにより、各脚部３ｃの側面と各貫通孔２ｆの内面との間に形成される隙間ｓ２によって、解除ボタン３の前後左右方向の揺動を規制しつつ解除ボタン３の昇降が案内されている。
【００５３】
また、ケース２の下壁２ｃから上方に向かって突設したガイド板２ｅにより基端部４ａから下方に向かって突設した被ガイド板４ｄの左右方向の揺動が規制されるとともに、ケース２の上壁２ｂとガイド板２ｅの上端部とにより基端部４ａの上下方向の揺動が規制されている。これにより、ロック爪４の進退が案内されている。図２（ｃ）に示すとおり、基端部４ａの上面とケース２の上壁２ｂの下面との間には隙間ｓ３が形成されている。
【００５４】
ケース２の上壁２ｂと解除ボタン３の操作部３ａとの間に圧縮状態で配設されているスプリング６の付勢力に抗して解除ボタン３の操作部３ａを上方から押し操作することにより、解除ボタン３の脚部３ｃが下降する。
【００５５】
これにより、ロック爪４の基端部４ａに圧入されている連結ピン５が、脚部３ｃの斜めスライド孔３ｄと、ケース２の水平スライド孔２ｄに誘導されて、ロック爪４が後退する。また、解除ボタン３の押し操作を解除すれば、解除ボタン３はスプリング６に付勢されて、上昇基準位置に自動的に復帰する。
【００５６】
このような本実施形態の構成によれば、解除ボタン３が上昇基準位置に付勢されている状態において、解除ボタン３の操作部３ａに形成された鍔部３ｅが、カバー部材９１ａの開口部９１ｂと操作部３ａの外周面３ｂとの間に形成される隙間ｓ１を下方から塞いでいる。これにより、この隙間ｓ１から下方への飲料や埃の侵入が防止され、飲料や埃の固着に伴うロック装置１の操作性の低下を防止することが可能となる。また、操作部３ａの上方からこの隙間ｓ１を通してカバー部材９１ａに覆われた内部が視認されることがないため、鍔部３ｅを設けることは意匠性の向上にも寄与する。
【００５７】
解除ボタン３の操作部３ａを上方から押し操作している最中は、鍔部３ｅが下降して、隙間ｓ１の下方が開放している状態である。この状態において、操作部３ａ上に飲料や埃が溢れた場合には、飲料や埃が隙間ｓ１を通過しやすい。そして、隙間ｓ１を通過した飲料や埃は、各脚部３ｃの側面を伝って、各脚部３ｃと各貫通孔２ｆの内面との間に形成される隙間ｓ２からケース２内まで侵入する場合がある。
【００５８】
本実施形態の構成によれば、ケース２の上壁２ｂの下面と対向するロック爪４の基端部４ａ及び先端部４ｂの上面に複数本の溝部４ｅが形成されている。したがって、ケース２内へ侵入した飲料や埃が、ロック爪４の基端部４ａの上面とケース２の上壁２ｂの下面との間の隙間ｓ３まで侵入した場合であっても、飲料や埃は基端部４ａの最上面よりも低い位置にある溝部４ｅへ掻き落とされる。これにより、隙間ｓ３に飲料や埃が固着することを防止できるため、ロック爪４のスムーズな進退動を損なうことがない。
【００５９】
また、溝部４ｅが、基端部４ａ及び先端部４ｂの左右の側面から基端部４ａ及び先端部４ｂの左右の中心に向かって形成されているため、溝部４ｅへ掻き落とされた飲料や埃は、溝部４ｅを伝ってロック爪４の基端部４ａ及び先端部４ｂの左右の側面へ流出し、ロック爪４の下方へ排出される。したがって、飲料や埃が溝部４ｅに蓄積しにくい。これにより、隙間ｓ３に飲料や埃が固着しにくく、また、固着を防止する効果を長く持続することができる。
【００６０】
また、基端部４ａの上面に複数本の溝部４ｅが形成されていることによって、溝部４ｅの形成面積を除いた基端部４ａの上面の面積は小さくなっている。これにより、隙間ｓ３の形成面積が小さくなっている。したがって、仮に、隙間ｓ３に飲料や埃が固着した場合であっても、隙間ｓ３の形成面積が小さければ、ケース２の上壁２ｂと基端部４ａとの固着が剥がれやすく、ケース２の上壁２ｂに固着したロック爪４を再びスムーズに進退動させやすくなる。
＜第２実施形態＞
本実施形態のロック装置を図３に示す。図３（ａ）はロック装置の斜視図、図３（ｂ）はロック装置の分解斜視図、図３（ｃ）はロック装置を正面から見た断面図を示している。
【００６１】
このロック装置１０は、ケース２０と、解除ボタン３０と、ロック爪４０と、これらを連結する連結ピン５と、解除ボタン３０を上方に付勢するスプリング６と、により構成されている。
【００６２】
このロック装置１０と、第１実施形態におけるロック装置１とは、ロック爪の上下左右方向の揺動を規制する機構に大きな相違点を有している。
【００６３】
ロック爪４０は、ケース２０に対して前後方向に進退可能で、前進した前進基準位置で相手材と係止し、解除ボタン３０は、ケース２０に対して上下方向に昇降可能で、上昇した上昇基準位置から下降することでロック爪４０を前進基準位置から後退させることによりロック爪４０の係止を解除するように構成されている。すなわち、基本的な構成は第１実施形態と同様である。
【００６４】
ケース２０は、左右一対の側壁２０ａ、上壁２０ｂ及び下壁２０ｃよりなる板状枠を有し、ケース２０の各側壁２０ａの上方には、左右方向に貫設するとともに、穴の内寸が前後方向に水平に長い長穴状の水平スライド孔２０ｄが形成されている。そして、この水平スライド孔２０ｄによって連結ピン５が前後方向に摺動可能に保持されている。
【００６５】
ケース２０の上壁２０ｂには、後述する解除ボタン３０の左右一対の脚部３０ｃを挿通することが可能な左右一対の第１貫通孔２０ｆが上下方向に貫設されている。また、同様に下壁２０にも左右一対の第２貫通孔２０ｇが上下方向に貫設されている。また、下壁２０ｃには、後述するロック爪４０の断面Ｔ形被ガイドレール４０ｄ（鉤状被ガイド部）を挟むように配置される左右一対の断面Ｌ形ガイドレール２０ｅ（鉤状ガイド部）が上方に向かって突設されている。両断面Ｌ形ガイドレール２０ｅは、上方にフランジを有し、かつフランジの突設方向がケース２０の左右方向の内側に向くように配置されている。
【００６６】
解除ボタン３０は、ケース２０の上壁２０ｂよりも上方に配設された操作部３０ａと、操作部３０ａから下方に向かって直角に突設されてケース内まで延在した左右一対の板状の脚部３０ｃとからなる。また、各脚部３０ｃの上方には、左右方向に貫設するとともに、穴の内寸が前方かつ下方から後方かつ上方に向かって斜め方向に長い長穴状の斜めスライド孔３０ｄが形成されている。そして、この斜めスライド孔３０ｄによって連結ピン５が前方から後方に向かって上り勾配で摺動可能に保持されている。
【００６７】
さらに、本実施形態のロック装置１０の特徴的な構造として、第１実施形態におけるロック装置１と同様に、解除ボタン３０の操作部３０ａの外周面３ｂには、外周面３０ｂを取り囲む板状の鍔部３０ｅが形成されている。
【００６８】
ロック爪４０は、ケース２０内に収納されるとともに両脚部３０ｃの間に配設された基端部４０ａと、基端部４０ａから前方に突設されてケース２０外まで延在した先端部４０ｂとからなる。なお、先端部４０ｂの上面は、常にケース２０内に収納されている（ケース２０の上壁２０ｂの下面と対向している）部位と、ロック爪４０が前進基準位置から後退した時のみケース２０内に収納される部位と、常にケース２０外に露出している部位とに分かれている。
【００６９】
また、基端部４０ａには、左右方向に貫設するとともに、連結ピン５を圧入可能な、連結ピン５の外径よりも若干小さな内径のピン挿入孔４０ｃが形成されている。
【００７０】
さらに、本実施形態のロック装置１０の特徴的な構造として、ロック爪４０の基端部４０ａには、基端部４０ａから下方に向かって突設するとともに、下方にフランジを有する断面Ｔ形被ガイドレール４０ｄが形成されている。また、第１実施形態におけるロック装置１と同様に、ケース２０の上壁２０ｂの下面と対向するロック爪４０の基端部４０ａ及び先端部４０ｂの上面に断面コ字状の溝部４０ｅが６本凹設されている。
【００７１】
連結ピン５及びスプリング６の組み付け、及びロック装置１０の基本的な動作については、第１実施形態におけるロック装置１と同様であるため説明を省略する。
【００７２】
図３（ｃ）に示すとおり、解除ボタン３０が上昇基準位置に付勢されている状態において、カバー部材９１ａの開口部９１ｂと操作部３０ａの外周面３０ｂとの間には隙間ｓ１が形成されている。また、解除ボタン３０が上昇基準位置に付勢されている状態において、操作部３０ａに形成された鍔部３０ｅが、隙間ｓ１を下方から塞いでいる。
【００７３】
解除ボタン３０の上下方向の昇降、及びロック爪４０の前後方向の進退は、以下のとおりに案内されている。
【００７４】
解除ボタン３０の左右一対の脚部３０ｃが、ケース２０の上壁２０ｂ及び下壁２０ｃに貫設された左右一対の第１貫通孔２０ｆ及び第２貫通孔２０ｇに挿通されることにより、各脚部３０ｃの側面と各第１貫通孔２０ｆ及び各第２貫通孔２０ｇの内面との間に形成される隙間によって、解除ボタン３０の前後左右方向の揺動を規制しつつ解除ボタン３０の昇降が案内されている。なお、脚部３０ｃの側面と第１貫通孔２０ｆの内面との間に形成される隙間は隙間ｓ４である。
【００７５】
また、ケース２０の下壁２０ｃから上方に向かって突設した左右一対の断面Ｌ形ガイドレール２０ｅの間に、かつ各断面Ｌ形ガイドレール２０ｅのフランジの下方に、基端部４０ａから下方に向かって突設した断面Ｔ形被ガイドレール４０ｄのフランジを配置することによって、断面Ｔ形被ガイドレール４０ｄの上下左右方向の揺動を規制しつつロック爪４０の進退が案内されている。
【００７６】
このような本実施形態の構成によれば、ロック爪４０の基端部４０ａに設けられた断面Ｔ形被ガイドレール４０ｄ（鉤状被ガイド部）と、ケース２０の下壁２０ｃに設けられた左右一対の断面Ｌ形ガイドレール２０ｅ（鉤状ガイド部）とが係合することによりロック爪４０の上下左右方向の揺動を規制しつつロック爪４０の進退が案内されている。すなわち、ロック爪４０は基端部４０ａの下部のみで上下左右方向の揺動が規制されている。
【００７７】
これにより、基端部４０ａの上面とケース２０の上壁２０ｂの下面との間の隙間ｓ５を基端部４０ａの上下方向の揺動を規制するための隙間とする必要がなくなるため、本実施形態における隙間ｓ５を第１実施形態における隙間ｓ３よりも大きくすることができる。
【００７８】
そして、本実施形態における隙間ｓ５を第１実施形態における隙間ｓ３よりも大きくすることによって、ケース２０内へ侵入した飲料や埃が、この隙間ｓ５まで侵入した場合であっても、ロック爪４０の基端部４０ａの上面とケース２０の上壁２０ｂの下面とが飲料や埃で固着する虞が小さくなる。すなわち、ロック爪４０のスムーズな進退動が損なわれる虞を小さくすることができる。
【００７９】
また、ロック爪４０は基端部４０ａの下部のみで上下左右方向の揺動が規制されていることから、ケース２０内へ飲料や埃が侵入した場合であっても、ロック爪４０の基端部４０ａが傘として機能することにより、基端部４０ａの下方への飲料や埃の侵入を防止することができる。これにより、断面Ｔ形被ガイドレール４０ｄと断面Ｌ形ガイドレール２０ｅとが係合する係合部分（摺動部）に、飲料や埃が侵入することを防止できるため、ロック爪４０のスムーズな進退動を損なうことがない。
【００８０】
また、断面Ｔ形被ガイドレール４０ｄは左右一対の断面Ｌ形ガイドレール２０ｅの間に配置されている。したがって、ケース２０内へ侵入した飲料や埃が、ロック爪４０の基端部４０ａの左右の側面を伝って基端部４０ａの下方に侵入しようとしても、その侵入が左右一対の断面Ｌ形ガイドレール２０ｅに遮られる。これにより、断面Ｔ形被ガイドレール４０ｄと断面Ｌ形ガイドレール２０ｅとが係合する係合部分（摺動部）に、飲料や埃が侵入することを防止できるため、ロック爪４０のスムーズな進退動を損なうことがない。
【００８１】
このように、ロック爪４０の上下左右方向の揺動を規制しつつロック爪４０の進退を案内する摺動部を、ロック装置１０のより内部かつ下方に配置するほど、すなわち、上方及び左右方向からより隠蔽された位置に配置するほど、飲料や埃が摺動部に侵入することを防止する効果が高くなる。その他の効果については第１実施形態と同様である。
＜第３実施形態＞
本実施形態は、第２実施形態におけるロック爪４０の構造を変更した実施形態である。その他の構成部品は第２実施形態と同一であるため説明を省略する。
【００８２】
本実施形態のロック装置に備わるロック爪の構造を説明する斜視図を図４に示す。このロック爪４１に備わる、基端部４１ａ、先端部４１ｂ、ピン挿入孔４１ｃ、及び断面Ｔ形被ガイドレール４１ｄの構造は、第２実施形態におけるロック爪４０の基端部４０ａ、先端部４０ｂ、ピン挿入孔４０ｃ、及び断面Ｔ形被ガイドレール４０ｄの構造と略同一であるため説明を省略する。
【００８３】
本実施形態のロック装置に備わるロック爪４１の特徴的な構造として、ケース２０の上壁２０ｂの下面と対向するロック爪４１の基端部４１ａ及び先端部４１ｂの上面に断面コ字状の横断溝部４１ｅが３本凹設されている。３本の横断溝部４１ｅは、基端部４１ａ及び先端部４１ｂの上面を左右方向に横断するように形成されている。
【００８４】
本実施形態の構成によれば、横断溝部４１ｅが基端部４１ａ及び先端部４１ｂの上面を左右方向に横断しているため、第２実施形態における左右方向に横断していない溝部４０ｅを備えるロック爪４０よりも、ロック爪４１の構造強度は小さくなる。
【００８５】
その反面、横断溝部４１ｅの形成面積を除いた基端部４１ａの上面の面積をより小さくすることができるため、ケース２０の上壁２０ｂと基端部４１ａとの固着がより剥がれやすくなる。その他の効果については第２実施形態と同様である。
＜第４実施形態＞
本実施形態は、第２実施形態におけるロック爪４０、及び第３実施形態におけるロック爪４１の構造を変更した実施形態である。その他の構成部品は第２実施形態と同一であるため説明を省略する。
【００８６】
本実施形態のロック装置に備わるロック爪の構造を説明する斜視図を図５に示す。このロック爪４２に備わる、基端部４２ａ、先端部４２ｂ、ピン挿入孔４２ｃ、及び断面Ｔ形被ガイドレール４２ｄの構造は、第２実施形態におけるロック爪４０の基端部４０ａ、先端部４０ｂ、ピン挿入孔４０ｃ、及び断面Ｔ形被ガイドレール４０ｄの構造と略同一であるため説明を省略する。
【００８７】
本実施形態のロック装置に備わるロック爪４２の特徴的な構造として、ケース２０の上壁２０ｂの下面と対向するロック爪４２の基端部４２ａ及び先端部４２ｂの上面に独立した円形開口の止まり穴４２ｅが９個凹設されている。９個の止まり穴４２ｅは、基端部４２ａ及び先端部４２ｂの上面に前後方向に３行、左右方向に３列で配置されている。
【００８８】
本実施形態の構成によれば、多数の止まり穴４２ｅが基端部４２ａ及び先端部４２ｂの上面に独立凹部として形成されているため、第２実施形態のように左右方向に延びる溝部４０ｅを備えるロック爪４０よりも、ロック爪４２の構造強度を確保しやすくなる。
【００８９】
その反面、止まり穴４２ｅの形成面積を除いた基端部４１ａの上面の面積がより大きくなるため、ケース２０の上壁２０ｂと基端部４１ａとの固着がより剥がれにくくなる。また、止まり穴４２ｅが独立凹部として形成されているため、飲料や埃が止まり穴４２ｅに蓄積しやすい。その他の効果については第２実施形態と同様である。
【００９０】
なお、本発明は上述した第１〜第４実施形態に限定されるものではなく、本発明の主旨を逸脱しない範囲で種々の変更を施すことが可能であることは言うまでもない。
【００９１】
例えば、第１実施形態において、本発明のロック装置を自動車の車室内のカップホルダに適用する実施形態を示したが、本発明のロック装置の適用はカップホルダに限定されるものではなく、グローブボックス、または、小物入れ等の蓋のロック装置として適用することも可能である。
【００９２】
また、第１〜第４実施形態においては、ロック装置の内部に飲料や埃が最も侵入しやすい配置を想定して、解除ボタンの操作部が上方に配置されている場合を示したが、これらの実施形態のロック装置と同様の構造からなるロック装置であれば、ロック装置をいかなる方向に回転して用いてもよい。すなわち、操作部が前方に配置されていてもよいし、下方に配置されていてもよい。
【００９３】
また、第１〜第３実施形態において、溝部４ｅ、溝部４０ｅ及び横断溝部４１ｅの断面形状をコ字状としたが、溝部及び横断溝部の断面形状は、基端部の最上面から下方に向かって凹設された形状であれば特に限定されない。例えば、溝部及び横断溝部の断面形状を、逆台形状、Ｖ字状、半円状、半楕円状等の様々な形状とすることが可能である。また、溝部及び横断溝部の形成本数も限定されない。
【００９４】
また、溝部及び横断溝部の断面形状は、基端部の左右方向に一律寸法の断面形状に限定されず、基端部の左右方向に断面形状が変化するように形成することができる。この場合、溝部及び横断溝部の凹設深さが、基端部の左右方向の中心から、基端部の左右の側面に向かって徐々に深くなるように形成されていれば、飲料や埃が基端部の左右の側面へより流出しやすくなる。
【００９５】
また、第４実施形態において、止まり穴４２ｅの孔形状を円形状としたが、基端部の最上面から下方に向かって凹設された止まり穴であれば、止まり穴の孔形状は特に限定されない。例えば、止まり穴の孔形状を、矩形状、三角形状等の様々な形状とすることが可能である。また、止まり穴の形成個数も限定されない。
【００９６】
また、第１及び第２実施形態を説明する図２及び図３において、ケースの前方が開口している構造を示したが、この構造はケースの前方からロック爪の基端部をケース内に挿入する構造である。この構造とは異なり、ケースの前方を塞ぐこともできる。この場合には、ロック爪の先端部の進退が可能な大きさの開口部が形成された壁材によってケースの前方を塞ぎ、ケースの後方の開口からロック爪をケース内に挿入する構造となる。
【００９７】
また、第２実施形態を説明する図３において、ケース２０の下壁２０ｃに形成された左右一対の断面Ｌ形ガイドレール２０ｅによって、ロック爪４０の基端部４０ａに形成された断面Ｔ形被ガイドレール４０ｄの進退を案内する構成としたが、ガイドレールと被ガイドレールの構造を逆にして、ケースの下壁に形成された断面Ｔ形ガイドレールによって、ロック爪の基端部に形成された左右一対の断面Ｌ形被ガイドレールの進退を案内する構成としてもよい。
【００９８】
さらに、ガイドレールと被ガイドレールの組み合わせは、第２実施形態で示した左右一対のＬ形とＴ形の組み合わせに限らず、例えば、左右一対のＬ形と左右一対のＬ形の組み合わせであってもよい。すなわち、ロック爪の基端部の下部のみで上下左右方向の揺動を規制可能な構造であればいかなる構造であってもよい。
【００９９】
また、第１〜第４実施形態においては、基端部のピン挿入孔に連結ピンを圧入する形態を示したが、ピン挿入孔に連結ピンを貫入して接着剤等で固定してもよい。
【符号の説明】
【０１００】
ｓ１，ｓ２，ｓ３，ｓ４，ｓ５  …  隙間
１      …  ロック装置                  ２      …  ケース
２ａ    …  側壁                        ２ｂ    …  上壁
２ｃ    …  下壁                        ２ｆ    …  貫通孔
３      …  解除ボタン                  ３ａ    …  操作部
３ｂ    …  外周面                      ３ｃ    …  脚部
３ｅ    …  鍔部                        ４      …  ロック爪
４ａ    …  基端部                      ４ｂ    …  先端部
４ｅ    …  溝部（凹部）                ５      …  連結ピン
６      …  スプリング（付勢部材）
１０    …  ロック装置                  ２０    …  ケース
２０ａ  …  側壁                        ２０ｂ  …  上壁
２０ｃ  …  下壁                          
２０ｅ  …  断面Ｌ形ガイドレール（鉤状ガイド部）
２０ｆ  …  第１貫通孔                  ２０ｇ  …  第２貫通孔
３０    …  解除ボタン                  ３０ａ  …  操作部
３０ｂ  …  外周面                      ３０ｃ  …  脚部
３０ｅ  …  鍔部                        ４０    …  ロック爪
４０ａ  …  基端部                      ４０ｂ  …  先端部
４０ｄ  …  断面Ｔ形被ガイドレール（鉤状被ガイド部）
４０ｅ  …  溝部（凹部）
４１    …  ロック爪                    ４１ａ  …  基端部
４１ｂ  …  先端部
４０ｄ  …  断面Ｔ形被ガイドレール（鉤状被ガイド部）
４１ｅ  …  横断溝部（凹部）
４２    …  ロック爪                    ４２ａ  …  基端部
４２ｂ  …  先端部
４２ｄ  …  断面Ｔ形被ガイドレール（鉤状被ガイド部）
４２ｅ  …  止まり穴（凹部）
９０    …  カップホルダ                ９１    …  収容部（固定部材）
９１ａ  …  カバー部材                  ９１ｂ  …  開口部
９２    …  蓋（可動部材）              ９２ａ  …  被係止部
【図１】
2011020605.tif 000003
【図２】
2011020605.tif 000004
【図３】
2011020605.tif 000005
【図４】
2011020605.tif 000006
【図５】
2011020605.tif 000007
【図６】
2011020605.tif 000008